(57)【特許請求の範囲】
【請求項１】
操作者のボタン操作に従い無線呼出ボタンから無線送信された呼出信号を受信し、前記受信した呼出信号をインターホン親機に中継する通常モード、および、前記受信した呼出信号を前記インターホン親機に中継することなく、当該呼出信号を受信した旨を出力する動作確認モードを含む複数の動作モードを有するインターホン子機であって、
操作者の操作に従い、自インターホン子機の動作モードを、前記複数の動作モードのうちのいずれかに設定する動作モード制御手段と、
前記インターホン親機との通話路が切断された場合に、自インターホン子機をオンフック状態に移行させる復旧ボタンと、を備え、
前記動作モード制御手段は、
自インターホン子機の動作モードを、前記復旧ボタンの押下パターンにより特定される動作モードに設定するとともに、
自インターホン子機の動作モードが前記通常モード以外の動作モードに設定されている場合において、前記操作者の操作を待つアイドル状態が所定時間以上継続したならば、自インターホン子機の動作モードを前記通常モードに移行させる
ことを特徴とするインターホン子機。
【請求項２】
操作者のボタン操作に従い呼出信号を無線送信する無線呼出ボタンと、
インターホン親機と、
請求項１に記載のインターホン子機と、を備える
ことを特徴とするインターホンシステム。
【発明の詳細な説明】
【技術分野】
【０００１】
本発明は、インターホンシステムに関し、特に、無線呼出ボタンによる呼出機能を備えたインターホンシステムに関する。
【背景技術】
【０００２】
医療施設、介護施設、介護付き集合住宅等において、無線呼出ボタンによる緊急呼出機能を備えたインターホンシステムが利用されている。この種のインターホンシステムにおいて、無線呼出ボタンは、この無線呼出ボタンを利用する患者、被介護者等のボタン操作に従い、呼出信号を無線送信する。インターホン子機は、無線呼出ボタンから無線送信された呼出信号を受信すると、この呼出信号をインターホン親機に中継する。これを受けて、インターホン親機は、このインターホン親機を利用する医療関係者、介護者等に緊急呼出を通知するとともに、インターホン子機との通話路を確立する。
【０００３】
この種のインターホンシステムでは、緊急時の失報を防ぐため、定期的に無線呼出ボタンの動作確認が行われている。しかしながら、そのまま動作確認を行うと、インターホン親機において誤報との区別がつかない。このため、特許文献１に記載のインターホンシステムでは、インターホン子機に無線受信機を接続して、この無線受信機に無線呼出ボタンの呼出信号を受信させている。そして、この無線受信機に専用の切替スイッチを設け、この切替スイッチによる設定により、受信した呼出信号をインターホン親機に中継する通常モード、および受信した呼出信号をインターホン親機に中継することなく呼出鳴動する動作確認モードのいずれかの動作モードで無線受信機を動作させている。
【先行技術文献】
【特許文献】
【０００４】
【特許文献１】特開２０１４−１６５７１３号公報
【発明の概要】
【発明が解決しようとする課題】
【０００５】
上述したように、特許文献１に記載のインターホンシステムでは、無線受信機の通常モードおよび動作確認モードの切替えを、無線受信機に設けられた専用の切替スイッチの設定により行っている。このため、例えば、動作確認の作業者が切替スイッチの設定を動作確認モードにしたまま通常モードに戻すのを忘れてしまった場合、あるいは、切替スイッチの誤操作により、意図せず切替スイッチの設定が通常モードから動作確認モードに切り替わってしまった場合等に、患者、被介護者等による無線呼出ボタンのボタン操作が行われると、無線呼出ボタンから無線送信された呼出信号がインターホン親機に送られることなく失報してしまう。また、インターホン子機に無線受信機を組み込んで両者を一体化させた場合、インターホン子機にモード切替専用の切替スイッチが必要となり、その分コストが増加する。
【０００６】
本発明は上記事情に鑑みてなされたものであり、本発明の目的は、無線呼出ボタンによる呼出機能を備えたインターホンシステムにおいて、無線呼出ボタンから無線送信された呼出信号がインターホン親機に送られることなく失報してしまう可能性を低減することにある。また、本発明の他の目的は、このようなインターホンシステム構築のためのコストの低減を図ることにある。
【課題を解決するための手段】
【０００７】
上記課題を解決するために、本発明では、無線呼出ボタンから無線送信された呼出信号をインターホン子機経由でインターホン親機に中継する通常モードと、この呼出信号をインターホン親機に中継することなくインターホン子機から出力する動作確認モードと、を含む複数の動作モードを有するインターホン子機において、動作モードが通常モード以外の動作モードである場合に、操作者からの操作待ちのアイドル状態が所定時間以上続いたならば、動作モードを通常モードに自動的に切替える。ここで、インターホン子機は、インターホン親機との通話路が切断された場合にインターホン子機をオンフックするための復旧ボタンを備える場合、この復旧ボタンに対する操作パターンによって自インターホン子機の動作モードを切替えてもよい。
【０００８】
例えば、本発明は、操作者のボタン操作に従い無線呼出ボタンから無線送信された呼出信号を受信し、前記受信した呼出信号をインターホン親機に中継する通常モード、および、前記受信した呼出信号を前記インターホン親機に中継することなく、当該呼出信号を受信した旨を出力する動作確認モードを含む複数の動作モードを有するインターホン子機であって、
操作者の操作に従い、自インターホン子機の動作モードを、前記複数の動作モードのうちのいずれかに設定する動作モード制御手段と、
前記インターホン親機との通話路が切断された場合に、自インターホン子機をオンフック状態に移行させる復旧ボタンと、を備え、
前記動作モード制御手段は、
自インターホン子機の動作モードを、前記復旧ボタンの押下パターンにより特定される動作モードに設定するとともに、
自インターホン子機の動作モードが前記通常モード以外の動作モードに設定されている場合において、前記操作者の操作を待つアイドル状態が所定時間以上継続したならば、自インターホン子機の動作モードを前記通常モードに移行させる。
【発明の効果】
【０００９】
本発明によれば、操作者がインターホン子機の動作モードを通常モード以外の動作モードに設定したまま、通常モードに戻すのを忘れてしまった場合、あるいは、操作者の誤操作により、意図せずインターホン子機の動作モードが通常モードから通常モード以外の動作モードに切り替わってしまった場合等でも、インターホン子機のアイドル状態が所定時間以上継続したならば、インターホン子機の動作モードが自動で通常モードに戻るので、無線呼出ボタンから無線送信された呼出信号がインターホン親機に送られることなく失報してしまう可能性を低減することができる。
【００１０】
また、インターホン子機が、インターホン親機との通話路が切断されたときに自インターホン子機をオンフックするための復旧ボタンを備えている場合に、この復旧ボタンを動作モードの設定操作に兼用することにより、動作モード設定のための専用の切替スイッチをインターホン子機に別途設ける必要がなくなるので、コストを低減することができる。
【図面の簡単な説明】
【００１１】
【図１】図１は、本発明の一実施の形態に係るインターホンシステムの概略構成図である。
【図２】図２は、インターホン子機１の動作モードが通常モードに設定されている場合における、本発明の一実施の形態に係るインターホンシステムの緊急呼出動作を説明するためのシーケンス図である。
【図３】図３は、インターホン子機１の動作モードが動作確認モードあるいは登録モードに設定されている場合における、本発明の一実施の形態に係るインターホンシステムの動作を説明するためのシーケンス図である。
【図４】図４は、無線呼出ボタン２の概略機能構成図である。
【図５】図５は、インターホン親機３の概略機能構成図である。
【図６】図６は、インターホン子機１の概略機能構成図である。
【図７】図７は、インターホン子機１の動作を説明するためのフロー図である。
【図８】図８は、インターホン子機１の動作を説明するためのフロー図である。
【図９】図９は、インターホン子機１の動作を説明するためのフロー図である。
【発明を実施するための形態】
【００１２】
以下に、本発明の一実施の形態について説明する。
【００１３】
図１は、本実施の形態に係るインターホンシステムの概略構成図である。
【００１４】
本実施の形態に係るインターホンシステムは、緊急呼出機能を備えており、医療施設、介護施設等に設置され、ナースコールシステムとして利用される。図示するように、本実施の形態に係るインターホンシステムは、医療施設、介護施設等の各部屋（Ａ号室、Ｂ号室）に１台設置されたインターホン子機１Ａ、１Ｂ（以下、単にインターホン子機１とも呼ぶ）と、医療施設、介護施設等の各部屋のベッドＡ−１〜Ａ−３、Ｂ−１〜Ｂ−３の利用者毎に１台対応付けられた無線呼出ボタン２Ａ−１〜２Ａ−３、２Ｂ−１〜２Ｂ−３（以下、単に無線呼出ボタン２とも呼ぶ）と、インターホン親機３と、医療施設、介護施設等の各部屋の廊下側出入口に設置され、同室のインターホン子機１に接続された廊下灯４Ａ、４Ｂ（以下、単に廊下灯４とも呼ぶ）と、インターホン子機１およびインターホン親機３間を接続する通信ネットワーク５と、を備えて構成される。
【００１５】
無線呼出ボタン２は、この無線呼出ボタン２に対応付けられたベッドＡ−１〜Ａ−３、Ｂ−１〜Ｂ−３を利用する患者、被介護者等によるボタン操作に従い、この無線呼出ボタン２のＩＤを伴う呼出信号を無線送信する。
【００１６】
インターホン親機３は、無線呼出ボタン２の呼出信号をインターホン子機１経由で受信した場合に緊急呼出通知を出力するとともに、この呼出信号を中継したインターホン子機１との間に通話路を確立する。
【００１７】
インターホン子機１は、動作モードとして、通常モード、動作確認モード、および登録モードを有する。
【００１８】
ここで、インターホン子機１の動作モードが通常モードに設定されている場合、インターホン子機１は、無線呼出ボタン２から無線送信された呼出信号を受信すると、この呼出信号に付加されているＩＤが、呼出信号の中継を許可する無線呼出ボタン２のＩＤとして自インターホン子機１に登録されているならば、この呼出信号をインターホン親機３に中継するとともに、自インターホン子機１に接続された廊下灯４を点灯する。
【００１９】
また、インターホン子機１の動作モードが動作確認モードに設定されている場合、インターホン子機１は、無線呼出ボタン２から無線送信された呼出信号を受信すると、この呼出信号に付加されているＩＤが、呼出信号の中継を許可する無線呼出ボタン２のＩＤとして自インターホン子機１に登録されているならば、この呼出信号をインターホン親機３に中継することなく、かつ自インターホン子機１に接続された廊下灯４を点灯することなく、動作確認通知を出力する。
【００２０】
また、インターホン子機１の動作モードが登録モードに設定されている場合、インターホン子機１は、無線呼出ボタン２から無線送信された呼出信号を受信すると、この呼出信号に付加されているＩＤを、呼出信号の中継を許可する無線呼出ボタン２のＩＤとして自インターホン子機１に登録する。
【００２１】
図２は、インターホン子機１の動作モードが通常モードに設定されている場合における、インターホンシステムの緊急呼出動作を説明するためのシーケンス図である。ここで、インターホン子機１Ａ、１Ｂは、ともに通常モードに設定されているものとする。また、インターホン子機１Ａには、呼出信号の中継を許可する無線呼出ボタン２のＩＤとして無線呼出ボタン２Ａ−１〜２Ａ−３のＩＤが登録され、インターホン子機１Ｂには、呼出信号の中継を許可する無線呼出ボタン２のＩＤとして無線呼出ボタン２Ｂ−１〜２Ｂ−３のＩＤが登録されているものとする。
【００２２】
まず、Ａ号室のベッドＡ−１を利用する患者、被介護者等が、自身に対応付けられた無線呼出ボタン２Ａ−１をボタン操作したものとする（Ｓ１００）。これを受けて、無線呼出ボタン２Ａ−１は、無線呼出ボタン２Ａ−１のＩＤを伴う呼出信号を無線送信する（Ｓ１０１）。
【００２３】
ここで、無線呼出ボタン２Ａ−１から無線送信された呼出信号が、Ａ号室に設置されたインターホン子機１ＡおよびＡ号室に隣接するＢ号室に設置されたインターホン子機１Ｂの両方に届いたものとする。これを受けて、インターホン子機１Ａ、１Ｂは、受信した呼出信号に付加されている無線呼出ボタン２Ａ−１のＩＤが、呼出信号の中継を許可する無線呼出ボタン２のＩＤとして自インターホン子機１に登録されているか否かを確認する。
【００２４】
無線呼出ボタン２Ａ−１のＩＤは、呼出信号の中継を許可する無線呼出ボタン２のＩＤとしてインターホン子機１Ａには登録されているが、インターホン子機１Ｂには登録されていない。この場合、インターホン子機１Ｂは、この呼出信号を破棄する（Ｓ１０２）。一方、インターホン子機１Ａは、通常モードに従い、Ａ号室の廊下側出入口に設置された廊下灯４Ａに点灯指示を送信して（Ｓ１０３）、廊下灯４Ａを点灯させるとともに（Ｓ１０４）、通信ネットワーク５を介してインターホン親機３に、この無線呼出ボタン２Ａ−１のＩＤが付加された呼出信号を中継する（Ｓ１０５）。
【００２５】
インターホン親機３は、インターホン子機１Ａから呼出信号を受信すると、この呼出信号に付加された無線呼出ボタン２Ａ−１のＩＤの表示および緊急呼出音の出力を伴う緊急呼出通知を行う（Ｓ１０６）。そして、インターホン親機３は、医療関係者、介護者等から応答操作を受け付けると（Ｓ１０７）、この呼出信号の送信元であるインターホン子機１Ａとの間に通話路を確立する（Ｓ１０８）。これにより、インターホン親機３の利用者は、呼出を行った患者、被介護者等、または廊下灯４Ａの点灯に気付いてＡ号室に駆けつけた医療関係者、介護者等のインターホン子機１Ａの利用者との通話が可能となる。
【００２６】
その後、インターホン親機３は、利用者から終話操作を受け付けると（Ｓ１０９）、インターホン子機１Ａとの間の通話路を切断してオンフック状態に移行する（Ｓ１１０）。
【００２７】
一方、インターホン子機１Ａは、後述の復旧ボタンに対するボタン操作を利用者から受け付けると（Ｓ１１１）、Ａ号室の廊下側出入口に設置された廊下灯４Ａに消灯指示を送信して（Ｓ１１２）、廊下灯４Ａを消灯させるとともに（Ｓ１１３）、オンフック状態に移行する（Ｓ１１４）。
【００２８】
図３は、インターホン子機１の動作モードが動作確認モードあるいは登録モードに設定されている場合における、インターホンシステムの動作を説明するためのシーケンス図である。ここで、当初、インターホン子機１Ａは動作確認モードに設定され、インターホン子機１Ｂは通常モードに設定されているものとする。また、インターホン子機１Ａには、呼出信号の中継を許可する無線呼出ボタン２のＩＤとして無線呼出ボタン２Ａ−１〜２Ａ−３のＩＤが登録され、インターホン子機１Ｂには、呼出信号の中継を許可する無線呼出ボタン２のＩＤとして無線呼出ボタン２Ｂ−２、２Ｂ−３のＩＤが登録され、無線呼出ボタン２Ｂ−１のＩＤは、いずれのインターホン子機１Ａ、１Ｂにも、呼出信号の中継を許可する無線呼出ボタン２のＩＤとして登録されていないものとする。
【００２９】
まず、Ａ号室に入室した医療関係者、介護者等が、無線呼出ボタン２の動作確認のために、ベッドＡ−１の利用者に対応付けられた無線呼出ボタン２Ａ−１をボタン操作したものとする（Ｓ１２０）。これを受けて、無線呼出ボタン２Ａ−１は、無線呼出ボタン２Ａ−１のＩＤを伴う呼出信号を無線送信する（Ｓ１２１）。
【００３０】
ここで、無線呼出ボタン２Ａ−１から無線送信された呼出信号が、Ａ号室に設置されたインターホン子機１ＡおよびＡ号室に隣接するＢ号室に設置されたインターホン子機１Ｂの両方に届いたものとする。これを受けて、インターホン子機１Ａ、１Ｂは、受信した呼出信号に付加されている無線呼出ボタン２Ａ−１のＩＤが、呼出信号の中継を許可する無線呼出ボタン２のＩＤとして自インターホン子機１に登録されているか否かを確認する。
【００３１】
無線呼出ボタン２Ａ−１のＩＤは、呼出信号の中継を許可する無線呼出ボタン２のＩＤとしてインターホン子機１Ａには登録されているが、インターホン子機１Ｂには登録されていない。この場合、インターホン子機１Ｂは、この呼出信号を破棄する（Ｓ１２２）。一方、インターホン子機１Ａは、動作確認モードに従い、無線呼出ボタン２Ａ−１のＩＤおよびこの呼出信号の受信電波強度の表示を伴う動作確認通知を行う（Ｓ１２３）。これにより、無線呼出ボタン２Ａ−１の動作確認が実施される。この際、廊下灯４Ａの点灯および呼出信号のインターホン親機３への中継は実施されない。
【００３２】
つぎに、インターホン子機１Ａは、動作確認通知後（Ｓ１２３）に、利用者の操作を待つアイドル状態が所定時間以上継続すると（Ｓ１２４）、自身の動作モードを動作確認モードから通常モードに自動的に切替える（Ｓ１２５）。
【００３３】
その後、無線呼出ボタン２の登録のためにＢ号室に入室した医療関係者、介護者等が、インターホン子機１Ｂに対して、動作モードを登録モードに切替える動作モード切替操作を行ったものとする（Ｓ１２６）。これを受けて、インターホン子機１Ｂは、自身の動作モードを通常モードから登録モードに切替える（Ｓ１２７）。
【００３４】
つぎに、Ｂ号室に入室した医療関係者、介護者等が、ベッドＢ−１の利用者に対応付けられた無線呼出ボタン２Ｂ−１の登録のために、無線呼出ボタン２Ｂ−１をボタン操作したものとする（Ｓ１２８）。これを受けて、無線呼出ボタン２Ｂ−１は、無線呼出ボタン２Ｂ−１のＩＤを伴う呼出信号を無線送信する（Ｓ１２９）。
【００３５】
ここで、無線呼出ボタン２Ｂ−１から無線送信された呼出信号が、Ｂ号室に設置されたインターホン子機１ＢおよびＢ号室に隣接するＡ号室に設置されたインターホン子機１Ａの両方に届いたものとする。これを受けて、インターホン子機１Ａ、１Ｂは、受信した呼出信号に付加されている無線呼出ボタン２Ｂ−１のＩＤが呼出信号の中継を許可する無線呼出ボタン２のＩＤとして自インターホン子機１に登録されているか否かを確認する。
【００３６】
無線呼出ボタン２Ｂ−１のＩＤは、呼出信号の中継を許可する無線呼出ボタン２のＩＤとしていずれのインターホン子機１Ａ、１Ｂにも登録されていない。この場合、通常モードに設定されているインターホン子機１Ａは、この呼出信号を破棄する（Ｓ１３０）。一方、登録モードに設定されているインターホン子機１Ｂは、無線呼出ボタン２Ｂ−１のＩＤを、呼出信号の中継を許可する無線呼出ボタン２のＩＤとして自インターホン子機１Ｂに登録する（Ｓ１３１）。これにより、無線呼出ボタン２Ｂ−１は、インターホン子機１Ｂ経由でインターホン親機３の緊急呼出が可能となる。
【００３７】
インターホン子機１Ｂは、呼出信号の中継を許可する無線呼出ボタン２Ｂ−１のＩＤ登録後（Ｓ１３１）に、利用者の操作を待つアイドル状態が所定時間以上継続すると（Ｓ１３２）、自インターホン子機１Ｂの動作モードを登録モードから通常モードに自動的に切替える（Ｓ１３３）。
【００３８】
つぎに、本実施の形態に係るインターホンシステムを構成するインターホン子機１、無線呼出ボタン２、およびインターホン親機３の詳細を説明する。
【００３９】
まず、無線呼出ボタン２について説明する。
【００４０】
図４は、無線呼出ボタン２の概略機能構成図である。
【００４１】
図示するように、無線呼出ボタン２は、無線呼出ボタン２のＩＤが記憶されたＩＤ記憶部２０と、プッシュボタン型の呼出ボタン２１と、運動エネルギーを電気エネルギーに変換する発電部２２と、発電部２２により発電された電気エネルギーで駆動する無線送信部２３と、を備えている。
【００４２】
上記構成の無線呼出ボタン２において、呼出ボタン２１が押下されると、発電部２２は、呼出ボタン２１の押下による運動エネルギーを電気エネルギーに変換して、この電気エネルギーを無線送信部２３に供給し、無線送信部２３を起動する。無線送信部２３は、発電部２２から供給された電気エネルギーにより起動されると、ＩＤ記憶部２０から無線呼出ボタン２のＩＤを読み出して、このＩＤが付加された呼出信号を無線送信する。なお、発電部２２には、例えばＥｎＯｃｅａｎ社のエネルギー変換器ＥＣＯ２００が用いられる。
【００４３】
つぎに、インターホン親機３について説明する。
【００４４】
図５は、インターホン親機３の概略機能構成図である。
【００４５】
図示するように、インターホン親機３は、通信ネットワークインターフェース部３０と、マンマシンインターフェース部３１と、親機制御部３２と、緊急呼出処理部３３と、を備えている。
【００４６】
通信ネットワークインターフェース部３０は、通信ネットワーク５を介してインターホン子機１に接続するためのインターフェースである。
【００４７】
マンマシンインターフェース部３１は、利用者が電話および各種操作を行うためのインターフェースであり、図示していないが、マイクと、スピーカと、ダイヤルキー、フックボタン等の操作部と、ＬＣＤ、ＬＥＤ等のディスプレイと、を備えている。
【００４８】
親機制御部３２は、インターホンシステムのインターホン親機として動作するために必要な処理を行う。具体的には、親機制御部３２は、インターホン子機１より受信した呼出信号に従い、マンマシンインターフェース部３１から呼出音を出力する。そして、マンマシンインターフェース部３１を介して利用者から受け付けた応答操作に従い、インターホン子機１との通話路を確立する。そして、マンマシンインターフェース部３１を介して利用者より音声入力された音声信号を通話データに符号化し、この通話データを通話路経由でインターホン子機１に送信するとともに、インターホン子機１から通話路経由で通話データを受信し、この通話データを、音声信号に復号してマンマシンインターフェース部３１から音声出力する。また、マンマシンインターフェース部３１を介して利用者から受け付けた終話操作に従い、インターホン子機１との間の通話路を切断する。
【００４９】
また、親機制御部３２は、インターホン子機１より受信した呼出信号に無線呼出ボタン２のＩＤが付加されている場合、すなわち受信した呼出信号がインターホン子機１経由で無線呼出ボタン２から送信された呼出信号である場合に、この無線呼出ボタン２のＩＤを緊急呼出処理部３３に通知する。
【００５０】
緊急呼出処理部３３は、親機制御部３２より受信した無線呼出ボタン２のＩＤに従い緊急呼出処理を実施する。具体的には、マンマシンインターフェース部３１に対して、無線呼出ボタン２のＩＤの表示および緊急呼出音の出力を伴う緊急呼出通知を行う。
【００５１】
なお、インターホン親機３の上記機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハードウエア的に実現されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実現されるものでもよい。または、ＣＰＵ、メモリ、ＨＤＤ、ＤＶＤ−ＲＯＭ等の補助記憶装置、およびＮＩＣ（Ｎｅｔｗｏｒｋ  Ｉｎｔｅｒｆａｃｅ  Ｃａｒｄ）、無線ＬＡＮアダプタ等の通信装置を備えたＰＣ（Ｐｅｒｓｏｎａｌ  Ｃｏｍｐｕｔｅｒ）、ＰＤＡ（Ｐｅｒｓｏｎａｌ  Ｄｉｇｉｔａｌ  Ａｓｓｉｓｔａｎｔ）、スマートホン等の汎用コンピュータにおいて、ＣＰＵが所定のプログラムを補助記憶装置からメモリ上にロードして実行することで実現されるものでもよい。
【００５２】
つぎに、インターホン子機１について説明する。
【００５３】
図６は、インターホン子機１の概略機能構成図である。
【００５４】
図示するように、インターホン子機１は、無線受信部１０と、通信ネットワークインターフェース部１１と、廊下灯インターフェース部１２と、マンマシンインターフェース部１３と、子機制御部１４と、許可ＩＤ記憶部１５と、復旧ボタン操作解析部１６と、動作モード設定部１７と、呼出信号処理部１８と、を備えている。
【００５５】
無線受信部１０は、無線呼出ボタン２から無線送信された呼出信号を受信するとともに、受信した呼出信号の受信電波強度を検出する。
【００５６】
通信ネットワークインターフェース部１１は、通信ネットワーク５を介してインターホン親機３に接続するためのインターフェースである。
【００５７】
廊下灯インターフェース部１２は、廊下灯４に接続するためのインターフェースである。
【００５８】
マンマシンインターフェース部１３は、利用者が電話および各種操作を行うためのインターフェースであり、図示していないが、マイクと、スピーカと、ダイヤルキー等の操作部と、ＬＣＤ、ＬＥＤ等のディスプレイと、を備えている。また、マンマシンインターフェース部１３の操作部は、復旧ボタン１３０と、親機呼出ボタン１３１と、を有する。
【００５９】
復旧ボタン１３０は、インターホン親機３との通話処理中において、インターホン親機３が通話路を切断した場合に、自インターホン子機１をオンフックして終話処理するとともに、自インターホン子機１に接続された廊下灯４を消灯するために利用される。これに加えて、本実施の形態では、復旧ボタン１３０を、自インターホン子機１の動作モードの切替えにも利用している。
【００６０】
親機呼出ボタン１３１は、自インターホン子機１をオフフックにして、インターホン親機３との通話路を確立するために利用される。
【００６１】
子機制御部１４は、インターホンシステムのインターホン子機１として動作するために必要な処理を行う。具体的には、インターホン親機３との通話路を確立・切断する。また、マンマシンインターフェース部１３を介して利用者より音声入力された音声信号を通話データに符号化し、この通話データを通話路経由でインターホン親機３に送信するとともに、インターホン親機３から通話路経由で通話データを受信し、この通話データを、音声信号に復号してマンマシンインターフェース部１３から音声出力する。
【００６２】
許可ＩＤ記憶部１５には、インターホン親機３への呼出信号の中継を許可する無線呼出ボタン２のＩＤが記憶される。
【００６３】
復旧ボタン操作解析部１６は、インターホン親機３と非通話状態のときに復旧ボタン１３０が受け付けた操作パターンを解析して、利用者の指示の内容を判断する。例えば、インターホン親機３と非通話状態において、復旧ボタン１３０の押下継続時間がｔ１（例えば０．５秒）未満の第１操作パターンならば、利用者の指示を通常モードへの切替指示と判断し、ｔ１以上ｔ２（例えば２秒）未満の第２操作パターンならば、利用者の指示を動作確認モードへの切替指示と判断し、ｔ２以上の第３操作パターンならば、利用者の指示を登録モードへの切替指示と判断する。
【００６４】
動作モード設定部１７は、復旧ボタン操作解析部１６により判断された利用者の指示内容に従い、動作モードを設定する。また、動作モード設定部１７は、マンマシンインターフェース部１３に対する利用者の操作を待つアイドル状態が所定時間（例えば３分）以上継続した場合に、自インターホン子機１の動作モードが通常モード以外の動作モード、すなわち動作確認モードあるいは登録モードであれば、自インターホン子機１の動作モードを通常モードに切替える。
【００６５】
呼出信号処理部１８は、動作モード設定部１７により設定された動作モードに従い、無線受信部１０が受信した無線呼出ボタン２の呼出信号を処理する。
【００６６】
具体的には、自インターホン子機１の動作モードが通常モードの場合、無線受信部１０が受信した呼出信号に付加されている無線呼出ボタン２のＩＤが許可ＩＤ記憶部１５に記憶されているならば、この呼出信号を、子機制御部１４および通信ネットワークインターフェース部１１を介してインターホン親機３に中継するとともに、廊下灯インターフェース部１２を介して廊下灯４に点灯指示を送信する。
【００６７】
また、自インターホン子機１の動作モードが動作確認モードの場合、無線受信部１０が受信した呼出信号に付加されている無線呼出ボタン２のＩＤが許可ＩＤ記憶部１５に記憶されているならば、この呼出信号に付加されている無線呼出ボタン２のＩＤと、無線受信部１０におけるこの呼出信号の受信電波強度とを、マンマシンインターフェース部１３に表示して、動作確認通知を実施する。
【００６８】
また、自インターホン子機１の動作モードが登録モードの場合、無線受信部１０が受信した呼出信号に付加されている無線呼出ボタン２のＩＤが許可ＩＤ記憶部１５に記憶されていないならば、このＩＤを許可ＩＤ記憶部１５に記憶する。
【００６９】
なお、インターホン子機１の上記機能構成は、インターホン親機３と同様、ＡＳＩＣ、ＦＰＧＡなどの集積ロジックＩＣによりハードウエア的に実現されるものでもよいし、あるいはＤＳＰなどの計算機によりソフトウエア的に実現されるものでもよい。または、ＣＰＵ、メモリ、ＨＤＤ、ＤＶＤ−ＲＯＭ等の補助記憶装置、およびＮＩＣ、無線ＬＡＮアダプタ等の通信装置を備えたＰＣ、ＰＤＡ、スマートホン等の汎用コンピュータにおいて、ＣＰＵが所定のプログラムを補助記憶装置からメモリ上にロードして実行することで実現されるものでもよい。
【００７０】
図７〜図９は、インターホン子機１の動作を説明するためのフロー図である。
【００７１】
まず、無線受信部１０を介して無線呼出ボタン２から呼出信号を受信すると（Ｓ２００でＹＥＳ）、呼出信号処理部１８は、自インターホン子機１の動作モードを確認する（Ｓ２０１）。
【００７２】
自インターホン子機１の動作モードが動作確認モードである場合（Ｓ２０１で「動作確認モード」）、呼出信号処理部１８は、受信した呼出信号に付加されている無線呼出ボタン２のＩＤが許可ＩＤ記憶部１５に記憶されているか否かを判断する（Ｓ２０２）。受信した呼出信号に付加されている無線呼出ボタン２のＩＤが許可ＩＤ記憶部１５に記憶されているならば（Ｓ２０２でＹＥＳ）、呼出信号処理部１８は、この呼出信号の受信電波強度を無線受信部１０から取得し、マンマシンインターフェース部１３に対して、取得した受信電波強度および受信した呼出信号に付加されている無線呼出ボタン２のＩＤの表示と動作確認成功を表す所定パターン音の出力とを伴う動作確認通知を実施する（Ｓ２０３）。その後、図７のスタートに戻る。一方、受信した呼出信号に付加されている無線呼出ボタン２のＩＤが許可ＩＤ記憶部１５に記憶されていないならば（Ｓ２０２でＮＯ）、呼出信号処理部１８は、この呼出信号を破棄する（Ｓ２０４）。その後、図７のスタートに戻る。
【００７３】
また、自インターホン子機１の動作モードが通常モードである場合（Ｓ２０１で「通常モード」）、呼出信号処理部１８は、受信した呼出信号に付加されている無線呼出ボタン２のＩＤが許可ＩＤ記憶部１５に記憶されているか否かを判断する（Ｓ２０５）。受信した呼出信号に付加されている無線呼出ボタン２のＩＤが許可ＩＤ記憶部１５に記憶されていないならば（Ｓ２０５でＮＯ）、呼出信号処理部１８は、この呼出信号を破棄する（Ｓ２０４）。その後、図７のスタートに戻る。一方、受信した呼出信号に付加されている無線呼出ボタン２のＩＤが許可ＩＤ記憶部１５に記憶されているならば（Ｓ２０５でＹＥＳ）、呼出信号処理部１８は、廊下灯インターフェース部１２を介して自インターホン子機１に接続された廊下灯４に点灯指示を送信して（Ｓ２０６）、この廊下灯４を点灯させるとともに、受信した呼出信号を子機制御部１４に渡す。
【００７４】
これを受けて、子機制御部１４は、オフフックし、この無線呼出ボタン２のＩＤが付加された呼出信号を、通信ネットワークインターフェース部１１を介してインターホン親機３に送信する（Ｓ２０７）。それから、子機制御部１４は、インターホン親機３が応答してインターホン親機３との通話路が確立されると（Ｓ２０８でＹＥＳ）、通話処理を開始する（Ｓ２０９）。具体的には、マンマシンインターフェース部１３を介して利用者より音声入力された音声信号を、通話データに符号化して通話路経由でインターホン親機３に送信するとともに、インターホン親機３から通話路経由で通話データを受信し、この通話データを、音声信号に復号してマンマシンインターフェース部１３から音声出力する。そして、インターホン親機３によって通話路が切断されると（Ｓ２１０でＹＥＳ）、子機制御部１４は通話処理を終了する（Ｓ２１１）。その後、復旧ボタン１３０が操作されると（Ｓ２１２）、子機制御部１４は、オンフックして（Ｓ２１３）、呼出信号処理部１８に通話終了を知らせる。
【００７５】
これを受けて、呼出信号処理部１８は、廊下灯インターフェース部１２を介して自インターホン子機１に接続されている廊下灯４に消灯指示を送信して（Ｓ２１４）、この廊下灯４を消灯させる。その後、図７のスタートに戻る。
【００７６】
また、自インターホン子機１の動作モードが登録モードである場合（Ｓ２０１で「登録モード」）、呼出信号処理部１８は、受信した呼出信号に付加されている無線呼出ボタン２のＩＤが許可ＩＤ記憶部１５に記憶されているか否かを判断する（Ｓ２１５）。受信した呼出信号に付加されている無線呼出ボタン２のＩＤが許可ＩＤ記憶部１５に記憶されていないならば（Ｓ２１５でＮＯ）、呼出信号処理部１８は、この呼出信号に付加されている無線呼出ボタン２のＩＤを許可ＩＤ記憶部１５に記憶する（Ｓ２１６）。その後、図７のスタートに戻る。一方、受信した呼出信号に付加されている無線呼出ボタン２のＩＤが許可ＩＤ記憶部１５に記憶されているならば（Ｓ２１５でＹＥＳ）、呼出信号処理部１８は、無線呼出ボタン２のＩＤが登録済みであることを示すエラー通知をマンマシンインターフェース部１３に表示する（Ｓ２１７）。その後、図７のスタートに戻る。なお、このエラー通知に登録済みの無線呼出ボタン２のＩＤを含めるとともに、このエラー表示に対する確認操作をインターホン子機１の利用者に求め、所定の時間内に確認操作がなされなければ、さらに確認音をマンマシンインターフェース部１３から出力するようにしてもよい。これにより、インターホン子機１の登録モード中に被介護者等によって登録済みの無線呼出ボタン２が操作された可能性をインターホン子機１の利用者が認知することができる。
【００７７】
また、インターホン親機３と非通話状態において（Ｓ２００でＮＯ）、親機呼出ボタン１３１が操作されると（Ｓ２２０でＹＥＳ）、子機制御部１４は、オフフックし、通信ネットワークインターフェース部１１を介してインターホン親機３に、自インターホン子機１のＩＤが付加された呼出信号を送信する（Ｓ２２１）。それから、インターホン親機３が応答して、インターホン親機３との通話路が確立されると（Ｓ２２２でＹＥＳ）、子機制御部１４は通話処理を開始する（Ｓ２２３）。つぎに、インターホン親機３によって通話路が切断されると（Ｓ２２４でＹＥＳ）、子機制御部１４は通話処理を終了する（Ｓ２２５）。その後、復旧ボタン１３０が操作されると（Ｓ２２６）、子機制御部１４は、オンフックする（Ｓ２２７）。その後、図７のスタートに戻る。
【００７８】
また、インターホン親機３と非通話状態において（Ｓ２００、Ｓ２２０でＮＯ）、復旧ボタン１３０が操作されると（Ｓ２３０でＹＥＳ）、復旧ボタン操作解析部１６は、復旧ボタン１３０の操作パターンを解析する（Ｓ２３１）。
【００７９】
そして、復旧ボタン１３０に対する操作パターンが第１操作パターン（例えば、復旧ボタン１３０の押下継続時間が０．５秒未満）である場合（Ｓ２３１で「第１操作パターン」）、復旧ボタン操作解析部１６は、通常モードへの切替指示を動作モード設定部１７に出力する。これを受けて、動作モード設定部１７は、自インターホン子機１の動作モードを通常モードに設定する（Ｓ２３２）。その後、スタートに戻る。
【００８０】
また、復旧ボタン１３０に対する操作パターンが第２操作パターン（例えば、復旧ボタン１３０の押下継続時間が０．５秒以上２秒未満）である場合（Ｓ２３１で「第２操作パターン」）、復旧ボタン操作解析部１６は、動作確認モードへの切替指示を動作モード設定部１７に出力する。これを受けて、動作モード設定部１７は、自インターホン子機１の動作モードを動作確認モードに設定する（Ｓ２３３）。その後、スタートに戻る。
【００８１】
また、復旧ボタン１３０に対する操作パターンが第３操作パターン（例えば、復旧ボタン１３０の押下継続時間が２秒以上）である場合（Ｓ２３１で「第３操作パターン」）、復旧ボタン操作解析部１６は、登録モードへの切替指示を動作モード設定部１７に出力する。これを受けて、動作モード設定部１７は、自インターホン子機１の動作モードを登録モードに設定する（Ｓ２３４）。その後、スタートに戻る。
【００８２】
また、インターホン親機３と非通話状態において、利用者からのマンマシンインターフェース部１３に対する操作を待つアイドル状態（Ｓ２００、Ｓ２２０、Ｓ２３０でＮＯ）が所定時間（例えば３分）以上続いた場合（Ｓ２４０でＹＥＳ）、動作モード設定部１７は、自インターホン子機１の動作モードが通常モード以外の動作モード、すなわち動作確認モードあるいは登録モードに設定されているか否かを判断する（Ｓ２４１）。通常モード以外の動作モードに設定されているならば（Ｓ２４１でＹＥＳ）、動作モード設定部１７は、自インターホン子機１の動作モードを通常モードに設定する（Ｓ２４２）。その後、スタートに戻る。一方、自インターホン子機１の動作モードが通常モードならば（Ｓ２４１でＮＯ）、自インターホン子機１動作モードが通常モードのまま、スタートに戻る。
【００８３】
以上、本発明の一実施の形態を説明した。
【００８４】
本実施の形態に係るインターホン子機１によれば、利用者がインターホン子機１の動作モードを通常モード以外の動作モードに設定したまま、通常モードに戻すのを忘れてしまった場合、あるいは、利用者の誤操作により、意図せずインターホン子機１の動作モードが通常モードから通常モード以外の動作モードに切り替わってしまった場合でも、インターホン親機３と非通話状態において、マンマシンインターフェース部１３に対する利用者の操作を待つアイドル状態が所定時間以上継続したならば自動的に通常モードに戻るので、無線呼出ボタン２から無線送信された呼出信号がインターホン親機３に送られることなく失報してしまう可能性を低減することができる。また、通常モードに復帰するまでの間に登録済みの無線呼出ボタン２が操作された場合に、その旨を示すエラー通知がインターホン子機１においてなされるため、インターホン子機１の利用者は、被介護者等によって登録済みの無線呼出ボタン２が操作された可能性を認知することができる。
【００８５】
また、本実施の形態に係るインターホン子機１によれば、インターホン親機３との通話路が切断されたときに自インターホン子機１をオンフックするための復旧ボタン１３０を動作モードの設定に兼用し、インターホン親機３と非通話状態において復旧ボタン１３０が操作された場合に、この復旧ボタン１３０の操作パターンにより特定される動作モードに設定している。このため、動作モード設定のための専用の切替スイッチをインターホン子機１に別途設ける必要がなく、その分、コストを低減することができる。
【００８６】
また、本実施の形態に係るインターホン子機１によれば、通常モードにおいて受信した呼出信号に付加されている無線呼出ボタン２のＩＤが許可ＩＤ記憶部１５に記憶されていない場合、この呼出信号をインターホン親機３に中継することなく破棄する。このため、例えば、Ａ号室に設置された無線呼出ボタン２Ａ−１〜２Ａ−３から無線送信された呼出信号は、これらの無線呼出ボタン２Ａ−１〜２Ａ−３が許可ＩＤ記憶部１５に記憶されているＡ号室のインターホン子機１Ａによりインターホン親機３に中継され、これらの無線呼出ボタン２Ａ−１〜２Ａ−３が許可ＩＤ記憶部１５に記憶されていないＢ号室のインターホン子機１Ｂによりインターホン親機３に中継されることはない。したがって、無線呼出ボタン２から無線送信される呼出信号が複数のインターホン子機１で受信可能な場合に、所定のインターホン子機１によってのみこの呼出信号をインターホン親機３に中継させることが可能となり、インターホン子機１および無線呼出ボタン２の設置の自由度を高めることができる。
【００８７】
なお、本発明は上記の実施の形態に限定されるものではなく、その要旨の範囲内で数々の変形が可能である。
【００８８】
例えば、上記の実施の形態では、医療施設、介護施設等に設置され、ナースコールシステムとして利用されるインターホンシステムを例にとり説明したが、本発明はこれに限定されない。本発明は、高齢者用集合住宅等、無線呼出ボタンによる呼出機能を備えたインターホンシステムに広く利用可能である。
【符号の説明】
【００８９】
１、１Ａ、１Ｂ：インターホン子機、  ２、２Ａ−１〜２Ａ−３、２Ｂ−１〜２Ｂ−３：無線呼出ボタン、  ３：インターホン親機、  ４Ａ、４Ｂ：廊下灯、  ５：通信ネットワーク、  １０：無線受信部、  １１、３０：通信ネットワークインターフェース部、  １２：廊下灯インターフェース部、  １３、３１：マンマシンインターフェース部、  １４：子機制御部、  １５：許可ＩＤ記憶部、  １６：復旧ボタン操作解析部、  １７：動作モード設定部、  １８：呼出信号処理部、  ２０：ＩＤ記憶部、  ２１：呼出ボタン、  ２２：発電部、  ２３：無線送信部、３２：親機制御部、  ３３：緊急呼出処理部、  １３０：復旧ボタン、  １３１：親機呼出ボタン
【図１】
0006311652.tif 000002
【図２】
0006311652.tif 000003
【図３】
0006311652.tif 000004
【図４】
0006311652.tif 000005
【図５】
0006311652.tif 000006
【図６】
0006311652.tif 000007
【図７】
0006311652.tif 000008
【図８】
0006311652.tif 000009
【図９】
0006311652.tif 000010